【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
特定の遊技の進行を実行する実行手段と、
前記特定の遊技の進行を実行してから次の特定の遊技の進行を実行するまでの未実行時間を計測する計測手段と、
前記計測手段により計測された前記未実行時間が所定の第１計測時間となることによって第１遊技態様を実行可能にする第１実行手段と、
を備え、
前記第１遊技態様は、第２遊技態様を実行するための条件を示唆する示唆報知を有し、
前記第１遊技態様で示唆報知された条件を前記所定の第１計測時間後であって該第１計測時間から計測した第２計測時間を経過するまでの期間に満たすことによって前記第２遊技態様を実行する第２実行手段を備え、
前記第１遊技態様で示唆報知された条件を満たすことなく前記第１遊技態様の実行が終了した場合に、前記計測手段により計測された前記未実行時間が所定の第３計測時間経過することによって再度前記第１遊技態様による示唆報知が行われ、その後は、前記特定の遊技の進行を実行することなく所定時間経過する毎に前記第１遊技態様による示唆報知が行われることを特徴とする遊技機。
【請求項２】
前記第１実行手段により前記第１遊技態様が実行可能とされた場合に、前記第１遊技態様を実行するか否かを抽選で決定する抽選手段を備え、
前記抽選手段で前記第１遊技態様を実行すると決定された場合に前記第１遊技態様を実行することを特徴とする請求項１に記載の遊技機。
【請求項３】
前記抽選手段で前記第１遊技態様を実行すると決定された場合に前記第１遊技態様で示唆報知された条件を満たすことにより前記第２実行手段が前記第２遊技態様を実行する一方、前記抽選手段で前記第１遊技態様を実行しないと決定された場合には前記第２遊技態様を実行しないことを特徴とする請求項２に記載の遊技機。
【請求項４】
前記第２実行手段は、前記第１遊技態様で示唆報知された条件を満たすことによって前記第２遊技態様を実行する第１制御と、前記第１制御とは異なり前記未実行時間が設定した計測時間を経過した際に前記第２遊技態様を実行する第２制御とを有することを特徴とする請求項１から３の何れか一項に記載の遊技機。
【請求項５】
前記特定の遊技は入球口に遊技球を入球させることであることを特徴とする請求項１から４の何れか一項に記載の遊技機。
【請求項６】
前記遊技の進行中に前記入球口に遊技球が入球した場合に当該入球に起因する遊技の進行を保留する保留手段を備え、
前記第２遊技態様は当該進行中の遊技又は保留されている遊技の進行状態を示唆することを特徴とする請求項５に記載の遊技機。
【手続補正２】
【補正対象書類名】明細書
【補正対象項目名】０００６
【補正方法】変更
【補正の内容】
【０００６】
請求項１の発明は、特定の遊技の進行を実行する実行手段と、前記特定の遊技の進行を実行してから次の特定の遊技の進行を実行するまでの未実行時間を計測する計測手段と、前記計測手段により計測された前記未実行時間が所定の第１計測時間となることによって第１遊技態様を実行可能にする第１実行手段と、を備え、前記第１遊技態様は、第２遊技態様を実行するための条件を示唆する示唆報知を有し、前記第１遊技態様で示唆報知された条件を前記所定の第１計測時間後であって該第１計測時間から計測した第２計測時間を経過するまでの期間に満たすことによって前記第２遊技態様を実行する第２実行手段を備え、前記第１遊技態様で示唆報知された条件を満たすことなく前記第１遊技態様の実行が終了した場合に、前記計測手段により計測された前記未実行時間が所定の第３計測時間経過することによって再度前記第１遊技態様による示唆報知が行われ、その後は、前記特定の遊技の進行を実行することなく所定時間経過する毎に前記第１遊技態様による示唆報知が行われることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２の発明は、請求項１において、前記第１実行手段により前記第１遊技態様が実行可能とされた場合に、前記第１遊技態様を実行するか否かを抽選で決定する抽選手段を備え、前記抽選手段で前記第１遊技態様を実行すると決定された場合に前記第１遊技態様を実行することを特徴とする。
【手続補正５】
【補正対象書類名】明細書
【補正対象項目名】０００９
【補正方法】変更
【補正の内容】
【０００９】
請求項３の発明は、請求項２において、前記抽選手段で前記第１遊技態様を実行すると決定された場合に前記第１遊技態様で示唆報知された条件を満たすことにより前記第２実行手段が前記第２遊技態様を実行する一方、前記抽選手段で前記第１遊技態様を実行しないと決定された場合には前記第２遊技態様を実行しないことを特徴とする。
【手続補正６】
【補正対象書類名】明細書
【補正対象項目名】００１０
【補正方法】変更
【補正の内容】
【００１０】
請求項４の発明は、請求項１から３の何れか一項において、前記第２実行手段は、前記第１遊技態様で示唆報知された条件を満たすことによって前記第２遊技態様を実行する第１制御と、前記第１制御とは異なり前記未実行時間が設定した計測時間を経過した際に前記第２遊技態様を実行する第２制御とを有することを特徴とする。
【手続補正７】
【補正対象書類名】明細書
【補正対象項目名】００１１
【補正方法】変更
【補正の内容】
【００１１】
請求項５の発明は、請求項１から４の何れか一項において、前記特定の遊技は入球口に遊技球を入球させることであることを特徴とする。
【手続補正８】
【補正対象書類名】明細書
【補正対象項目名】００１２
【補正方法】変更
【補正の内容】
【００１２】
請求項６の発明は、請求項５において、前記遊技の進行中に前記入球口に遊技球が入球した場合に当該入球に起因する遊技の進行を保留する保留手段を備え、前記第２遊技態様は当該進行中の遊技又は保留されている遊技の進行状態を示唆することを特徴とする。
【手続補正９】
【補正対象書類名】明細書
【補正対象項目名】００１４
【補正方法】変更
【補正の内容】
【００１４】
請求項１の発明によれば、第１遊技態様で示唆報知された条件を、第１計測時間後の第２計測時間を経過するまでの期間に満たそうとするため、遊技の興趣を高めることができる。
【手続補正１０】
【補正対象書類名】明細書
【補正対象項目名】００１５
【補正方法】変更
【補正の内容】
【００１５】
請求項２の発明によれば、特定の遊技が実行されない未実行状態が継続している時に第１遊技態様を実行するか否かが抽選で決定されるため、遊技に変化があり、遊技の興趣を高めることが可能となる。
【手続補正１１】
【補正対象書類名】明細書
【補正対象項目名】００１６
【補正方法】変更
【補正の内容】
【００１６】
請求項３の発明によれば、第１遊技態様が実行される場合と実行されない場合とでその後の第２遊技態様の実行に影響を与えるため、より興趣を高めることが可能となる。
【手続補正１２】
【補正対象書類名】明細書
【補正対象項目名】００１７
【補正方法】変更
【補正の内容】
【００１７】
請求項４の発明によれば、特定の遊技の未実行状態が設定した時間継続した際に第２遊技態様を実行することが可能となり、遊技の興趣を高めることが可能となる。
【手続補正１３】
【補正対象書類名】明細書
【補正対象項目名】００１８
【補正方法】変更
【補正の内容】
【００１８】
請求項５の発明によれば、遊技球を入球口に入球しない状態が継続している時に、遊技の興趣を高めることができる。
【手続補正１４】
【補正対象書類名】明細書
【補正対象項目名】００１９
【補正方法】変更
【補正の内容】
【００１９】
請求項６の発明によれば、第２遊技態様の実行によって遊技の進行状態を示唆することが可能であり、より興趣を高めることが可能となる。